(57)【特許請求の範囲】
【請求項１】
撮像装置における焦点調節装置であって、
被写体までの距離に対応する情報を検出する測距手段と、
前記測距手段の検出結果に従って、撮像装置の撮影レンズを駆動するよう制御するレンズ駆動制御手段と、
前記撮影レンズの位置に対応する距離情報を示す距離環でなる距離情報表示手段と、
前記撮像装置の撮像センサを用いて被写体像のコントラストを検出するコントラスト検出手段と、
前記コントラスト検出手段の検出結果に応じて前記撮影レンズの位置を調節した後、前記撮影レンズの位置に対応する前記距離情報表示手段の距離情報表示の補正を、前記測距手段の検出結果に応じて行う補正手段と、を有することを特徴とする焦点調節装置。
【請求項２】
前記補正手段は、前記撮像装置の所定の操作部材に応じて、前記距離情報表示手段の距離情報表示の補正を行わないことを特徴とする請求項１に記載の焦点調節装置。
【請求項３】
前記補正手段は、前記撮像装置の周囲温度の変化に応じて、前記距離情報表示手段の距離情報表示の補正を行わないことを特徴とする請求項１に記載の焦点調節装置。
【請求項４】
前記補正手段は、補正実行後からの経過時間に応じて、前記距離情報表示手段の距離情報表示の補正を行わないことを特徴とする請求項１に記載の焦点調節装置。
【請求項５】
請求項１から４のいずれか１項に記載の焦点調節装置、および前記撮像センサを有する撮像装置。
【請求項６】
撮像装置における焦点調節方法であって、
被写体までの距離に対応する情報を検出する測距工程と、
前記測距工程の検出結果に従って、撮像装置の撮影レンズを駆動するよう制御するレンズ駆動制御工程と、
前記撮影レンズの位置に対応する距離情報を示す距離環による距離情報表示工程と、
前記撮像装置の撮像センサを用いて被写体像のコントラストを検出するコントラスト検出工程と、
前記コントラスト検出工程の検出結果に応じて前記撮影レンズの位置を調節した後、前記撮影レンズの位置に対応する前記距離情報表示工程の距離情報表示の補正を、前記測距工程の検出結果に応じて行う補正工程と、を有することを特徴とする焦点調節方法。
【発明の詳細な説明】
【０００１】
【発明の属する技術分野】
本発明は撮像装置、特にデジタルスチルカメラにおける焦点調節装置に関するものである。
【０００２】
【従来の技術】
近年、急速に普及しつつあるデジタルスチルカメラは、従来の銀塩カメラが被写体像をフィルム面上に結像させ、画像を化学的にアナログ記録するのに対し、ＣＣＤセンサなどで撮像した画像をメモリカードなどの記録媒体に電気的にデジタル記録するものである。
【０００３】
図７はコンパクトタイプのデジタルカメラの正面図であり、カメラ本体１、撮影レンズ２、レリーズ釦３、ファインダ４、アクティブＡＦ投光窓５、アクティブＡＦ受光窓６、メインスイッチ７からなっている。このデジタルカメラの外見は、従来の銀塩フィルムを用いるカメラと大差ない。
【０００４】
このようなカメラの自動焦点調節機構（Ａｕｔｏ Ｆｏｃｕｓ：以下、ＡＦと略記する）としては、『アクティブＡＦ』と『ビデオＡＦ』の２方式がある。
図８は、『アクティブＡＦ 』の原理を示す。赤外線ＬＥＤ（以降『ＩＲＥＤ』と略記する）１１から投光された赤外光は、投光レンズ１２、投光窓５を経て被写体１５ａ，１５ｂに投光され、その反射光は受光窓６、受光レンズ１４を経て受光センサ１３上に結像する。
【０００５】
受光センサとしては、センサ上に結像したスポット光の位置変位を検出し、電圧で出力する『光入射位置検出素子：ＰＳＤ（Ｐｏｓｉｔｉｏｎｓ−Ｓｅｎｓｉｔｉｖｅ Ｄｅｔｅｃｔｏｒｓ）』が適当である。
【０００６】
被写体１５ａが遠方の場合は、その反射光１６ａによるスポット光は、受光センサ１３上の結像部位１７ａに結像する。被写体１５ｂが近距離になると、その反射光１６ｂによるスポット光は、受光センサ１３上では結像部位１７ｂに結像する。したがって、この結像するスポット光の位置を検出することができれば、被写体までの距離を検出することができ、それに応じて撮影レンズ２を駆動することにより被写体に焦点合わせを行うことができる。この方式は、赤外光を能動的（アクティブ）に投光するため、『アクティブＡＦ』と称している。
【０００７】
つぎに、図９は、『ビデオＡＦ』の原理を示す。ビデオカメラやデジタルカメラでは、被写体２３の像を撮影レンズ２２を介して撮像用センサ２１上に結像させる。そして、その光電変換信号を電気的に磁気テープや半導体メモリに記憶する撮像装置である。ビデオＡＦは、特に焦点検出のための専用部材を設けることなく、この光電変換信号から被写体の焦点を検出する方法である。
【０００８】
光電変換信号には、被写体２３の空間周波数成分が含まれている。その高周波成分に着目すると、ピントが合っているときには高周波成分が多く、ピントが外れるに従って高周波成分が減少するという性質がある。この性質を利用して、図１０（ａ）のように撮影レンズを至近から無限方向へ移動させながら、被写体の光電変換信号の高周波成分２４を抽出する。そして、図１０（ｂ），（ｃ）のようにそのピーク位置２５を探せば、そのときのレンズ位置２６が最もピントが合っているレンズ位置ということになる。
【０００９】
この光電変換信号は『ビデオ信号』と呼ぶこともあるため、このＡＦ方式を『ビデオＡＦ 』と称している。ビデオＡＦ方式においてコントラストの低い被写体の場合、当然高周波成分も乏しい。その成分の変化は、たとえば図１１（ａ）の高周波成分２７や、さらにコントラストが低い場合は、図１１（ｂ）の高周波成分２８のようになる。このような場合はピークの検出も困難となり、焦点調節の信頼性も低くなる。
【００１０】
ビデオＡＦ方式は撮像センサそのもので焦点検出するため、最終的にはセンサ面上に最もピントの合った被写体像が結像される。このため精度が高く、また撮像センサが何らかの原因で光軸方向に変動しても、その影響を受けないＡＦ方式である。しかし、レンズを細かく移動させながら撮像するため、レンズの移動時間が長くかかる。また、被写体のコントラスト、すなわち高周波成分が低いと焦点検出が実質的に困難となる。
【００１１】
一方、アクティブＡＦ方式では、焦点（実際には被写体距離）の検出に可動部がないため、検出時間が短い。また、能動的に赤外光を投光するので、被写体のコントラストに依存することなく、焦点調節が可能な方式である。しかしながら検出系と撮像系が別れているため、精度的にはビデオＡＦ方式よりも劣り、また上述した撮像センサの変動には対応することができない。製造工程でも精度を向上させるための工程が必要となり、コストアップになる。
【００１２】
アクティブＡＦはピントを検出するのではなく、被写体距離を検出するため、その検出動作は『測距』と呼ばれる。また、撮像光学系とは別の検出系で焦点検出あるいは測距するＡＦは『外測ＡＦ』とも称される。このように同じ外測ＡＦでありながら、赤外光を投光せずに被写体の自然照明光の反射光を利用するものは、受動的という意味で『パッシブＡＦ』とも呼ぶことがある。
【００１３】
さて、デジタルカメラの撮像センサはＣＣＤセンサ等の半導体でできている。このため銀塩フィルム並みの大きさのものは、現状では極めて高価になり、従来の銀塩フィルムよりも小さなサイズが使用される。その場合イメージサイズが小さくなると、それを引き伸ばしたときピントはずれが拡大され、従来よりも高いピント精度が要求される。
【００１４】
焦点調節の観点では、精度的にはビデオＡＦが好ましいが、応答性ではアクティブＡＦが望ましいと言える。したがって、両方式を組み合わせることで焦点調節の精度と応答性を兼ね備えた、いわゆる『ハイブリッドＡＦ方式』がデジタルカメラ用のＡＦ方式として本出願人から提案されている（特開平５−６４０５６号公報）。すなわち、まず外測のアクティブＡＦで焦点調節を行い、撮影レンズの駆動まで実行する。この状態ではデジタルカメラのピント精度としては確実でないので、つぎに、そのレンズ位置を中心にビデオＡＦを用いて最終的なピント調整をするというものである。
【００１５】
【発明が解決しようとする課題】
上述のようにハイブリッドＡＦを採用することで、これまでのビデオＡＦに比べ、かなり短い時間でピントの保証されたＡＦが可能となった。しかしながら、アクティブＡＦ単独の場合と比較すると、ビデオＡＦを追加する分だけ余分に時間がかかってしまう。そしてアクティブＡＦだけで充分な銀塩カメラの軽快な操作感に及ばないという問題があった。
【００１６】
本発明はかかる実情に鑑み、応答性および精度の双方に優れた焦点調節装置および方法を提供することを目的とする。
【００１７】
【課題を解決するための手段】
本発明の焦点調節装置は、撮像装置における焦点調節装置であって、被写体までの距離に対応する情報を検出する測距手段と、前記測距手段の検出結果に従って、撮像装置の撮影レンズを駆動するよう制御するレンズ駆動制御手段と、前記撮影レンズの位置に対応する距離情報を示す距離環でなる距離情報表示手段と、前記撮像装置の撮像センサを用いて被写体像のコントラストを検出するコントラスト検出手段と、前記コントラスト検出手段の検出結果に応じて前記撮影レンズの位置を調節した後、前記撮影レンズの位置に対応する前記距離情報表示手段の距離情報表示の補正を、前記測距手段の検出結果に応じて行う補正手段と、を有することを特徴とする。
【００１８】
また、本発明の焦点調節装置において、前記補正手段は、前記撮像装置の所定の操作部材に応じて、前記距離情報表示手段の距離情報の補正を行わないことを特徴とする。
【００１９】
また、本発明の焦点調節装置において、前記補正手段は、前記撮像装置の周囲温度の変化に応じて、前記距離情報表示手段の距離情報の補正を行わないことを特徴とする。
【００２０】
また、本発明の焦点調節装置において、前記補正手段は、補正実行後からの経過時間に応じて、前記距離情報表示手段の距離情報の補正を行わないことを特徴とする。
【００２１】
また、本発明の撮像装置は、上記いずれかの焦点調節装置、および前記撮像センサを有することを特徴とする。
【００２２】
また、本発明の焦点調節方法は、撮像装置における焦点調節方法であって、被写体までの距離に対応する情報を検出する測距工程と、前記測距工程の検出結果に従って、撮像装置の撮影レンズを駆動するよう制御するレンズ駆動制御工程と、前記撮影レンズの位置に対応する距離情報を示す距離環による距離情報表示工程と、前記撮像装置の撮像センサを用いて被写体像のコントラストを検出するコントラスト検出工程と、前記コントラスト検出工程の検出結果に応じて前記撮影レンズの位置を調節した後、前記撮影レンズの位置に対応する前記距離情報表示工程の距離情報表示の補正を、前記測距工程の検出結果に応じて行う補正工程と、を有することを特徴とする。
【００２５】
本発明によれば、上記課題を解決するために、まずアクティブＡＦで焦点調節を行い、そのレンズ位置を中心にビデオＡＦを最終的なピント調整をする。そして特に、ビデオＡＦでの検出結果をアクティブＡＦのレンズ調整機構にフィードバックさせる。そのフィードバック結果が有効な期間は、すなわち周囲温度の変化があまりない、あるいは時間があまり経っていない間はアクティブＡＦのみで焦点調節を済ませ、これにより銀塩カメラと同様な応答性で、しかも精度の高いＡＦを実現する。
【００２６】
【発明の実施の形態】
以下、図面に基き、従来例と実質的に同一または対応する部材には同一符号を用いて、本発明の好適な実施の形態を説明する。
（第１の実施形態）
図１は、本発明の実施形態におけるデジタルスチルカメラ、特に図７に示したコンパクトタイプのカメラの電気ブロック図を示す。カメラ制御用マイクロコントローラ（以下、「ＭＣＵ」と略記する）３１にはレリーズ釦スイッチ３、メインスイッチ７、アクティブＡＦ用のＩＲＥＤ１１とその駆動回路３３、被写体距離検出のための光入射位置検出素子（ＰＳＤ）１３、温度センサ１８、撮影レンズ駆動用モータ３４、その駆動回路３５、レンズ位置検出部材３６が接続されている。なお、レンズ位置検出部材３６は、この実施形態ではポテンショメータを用いているが、エンコーダを用いてもよい。
【００２７】
カメラ制御用ＭＣＵ３１内には、カメラ動作を実行するプログラムを格納したＲＯＭ、変数を記憶するためのＲＡＭ、上述の補正データやその他のパラメータを記憶するためのＥＥＰＲＯＭ（電気的消去・書込み可能なメモリ）が内蔵されている。カメラ制御用ＭＣＵ３１は通信線１２０で撮像制御用ＭＣＵ３０４に接続され、このＭＣＵ３０４はカメラ制御用ＭＣＵ３１の指示に従ってデジタル画像の撮像動作を制御する。撮像制御用ＭＣＵ３０４は、フラッシュメモリ３０６に予め格納されているプログラムに従って、撮像に関わる各種デバイスの制御を行う。
【００２８】
レリーズ釦スイッチ３の押下によるレリーズ動作により、カメラ制御用ＭＣＵ３１の指示を受け、撮像センサ２１（たとえばＣＣＤあるいはＣＭＯＳエリアセンサなど）上に形成された被写体像が光電変換され、その画像信号はＡ／Ｄ変換器３０２でＡ／Ｄ変換され、画像信号処理ＩＣ３０３で色補間処理やフィルタリング処理を行った後、データバス３１１を介して、一旦ＤＲＡＭ３０８に格納される。ＤＲＡＭ３０８に格納されたデジタル画像データは、必要に応じてカラーモニタ３０５に表示される。デジタル画像データは、ＪＰＥＧＩＣ３０７でデータ圧縮され、メモリカード・インタフェース（Ｉ／Ｆと略する）３１０を介して、着脱可能なメモリカード３１３に書き込まれる。また、画像データはシリアルＩ／Ｆ３０９を介して、シリアルバス３１２へも出力でき、ネットワークでの画像データの配布も容易に行うことができるようになっている。
【００２９】
さて、図２は本発明の第1の実施形態におけるデジタルカメラ動作のフローチャートであり、図３および図４の撮影レンズの制御を説明する図と合わせて説明する。
【００３０】
図２のフローチャートにおいて、カメラのレリーズ釦３がオンされるとステップＳ１００を経て、ステップＳ１０１にてまず最初に外測ＡＦ（この実施形態ではアクティブＡＦ）で測距を行う。この状態でのカメラの撮影レンズ２２は、図３（ａ）のように無限側の被写体にピントが合う初期位置にある。距離環４１のどの位置に撮影レンズ２２が位置しているかは、前述のポテンショメータ３６で検出することができる。同図では、本来のピント面４２に対して撮像センサ２１は、製造工程の誤差あるいは温度や姿勢差等の環境変化が原因で、若干後方にずれた状態が表されている。ここでは撮影レンズ２２は距離環４１の無限側の位置にあるので、たとえばカメラから３ｍ離れた場所にいる被写体の像は、図のようにピント面４２後方の位置４３に結像する。
【００３１】
つぎのステップＳ１０２では、外測ＡＦでの測距が可能であったか否かを判別する。アクティブＡＦでは測距不能になることはあまりないが，同じ外測ＡＦでもパッシブＡＦでは被写体輝度が低い場合や被写体のコントラストが乏しい場合に測距不能になることがある。
【００３２】
測距可能の場合には、ステップＳ１０３に移行し、外測ＡＦの結果に基づいて撮影レンズ２２の制御を行う。この状態を図８（ｂ）で説明する。すなわち、撮影レンズ２２を距離環４１の３ｍの目盛り位置に移動させる。その結果、距離３ｍに位置する被写体の像はピント面４２と同じ位置４４に結像する。しかしながら、いま撮像センサ２１は本来のピント面４２に対して若干後方にずれた位置にあるので、撮影レンズ２２のピント調節は正しくても、ピントのあった画像が得られないことになる。本発明では、このずれた量を補正して正しいピント調節が行えるようにしたものである。
【００３３】
図２において、つぎのステップＳ１０４では、『距離環補正』が有効か否かを判別する。まだ『距離環補正』は有効でないので、つぎのステップＳ１０５では、前述のビデオＡＦを用いてピントの微調を行う。すなわち、図８（ｃ）のように撮像センサ２１からの像信号を直接検知することで、最もピントが合う位置にレンズを移動させる。このとき被写体像は位置４５、正に撮像センサ２１のセンサ面上に結像することができる。
【００３４】
さて、被写体のコントラストが低くてビデオＡＦが不能という場合がある。この場合、ステップＳ１０６ではそれを判別し、不能な場合にはステップＳ１０９へ移行して、ピント調節を完了する。ビデオＡＦによるピントの微調が可能であった場合は、ステップＳ１０７へ移行し、外測ＡＦの『距離環』を補正し、『距離環補正』を有効とする。
【００３５】
ビデオＡＦによる微調の結果、距離３ｍの被写体が撮像センサ２１上にピントを結ぶ距離環位置は本来の３ｍの目盛りからずれたところとなる。図９（ａ）のようにそれに合わせて距離環４１の方を移動することで、距離環４１の目盛りを正しいレンズ位置に補正することができる。
【００３６】
ここに述べた撮像センサ２１と撮影レンズ２２の相対関係によるピント位置は、長期的にはカメラの経時変化、また短期的には姿勢差や温度変化によって変化する。短期間あるいは姿勢差や温度変化がない場合は所定関係が持続され、この間『距離環補正』は有効となる。このようにして外測ＡＦによるピント制御とビデオＡＦによる微調が完了して、ステップＳ１０９でピント調節を終了する。
【００３７】
何らかの原因によって外測ＡＦでの測距が不可能であった場合は、ステップＳ１０２からステップＳ１０８へ移行して、レンズ駆動可能域全域を通常のビデオＡＦでピント調整を行う。この状態で再度撮影する場合の焦点調節について説明する。
【００３８】
『距離環補正』が有効な間に再びピント調節が要求されると、外測ＡＦが測距可能であった場合は、ステップＳ１０３で外測ＡＦによるピント調節が行われる。たとえば再び３ｍの距離の被写体に対してピント調節を実行すると、図９（ｂ）の初期位置から同図（ｃ）へ撮影レンズ２２が駆動される。いま、『距離環補正』が有効となっているから、距離環３ｍの目盛りに合うように撮影レンズ２２を移動すれば、距離３ｍの被写体のピント４６は撮像センサ２１上にきちんと結像する。『距離環補正』が有効な場合は、ビデオＡＦによる微調は必要がないので、その制御に余分な時間をかけることなく、ステップＳ１０４からステップＳ１０９に移行してピント調節を終了する。
【００３９】
カメラのメインスイッチ７がオフされた場合は、ステップＳ１１０を経てステップＳ１１１にて『距離環有効』を無効とし、つぎのステップＳ１１２で電源オフシーケンスを実行する。したがって、メインスイッチがオフされるような状況では、つぎのＡＦまで時間が経過するということにし、今回の『距離環補正』は無効とする。このようにビデオＡＦによるピントの補正が有効である場合には、改めてビデオＡＦを実行する必要がなく、その分高速なピント調節が可能となる。
【００４０】
（第２の実施形態）
図５は、本発明の第２の実施形態における動作を説明するフローチャートである。この実施形態では、温度変化による焦点調節機構や撮像センサのずれに着目する。そして距離環補正実行後に、あまり温度変化がない場合はその補正を有効とするというものである。なお、図２の場合と共通の部分の説明は省略する。
【００４１】
レリーズ釦押下による外測ＡＦが測距可能で、その結果で撮影レンズ２２のピント調節が行われた後（ステップＳ２０３）、ステップＳ２０４では『距離環補正』が有効であるか否かを判別する。未だ有効でない場合は、つぎのステップＳ２０５でビデオＡＦを用いてピントの微調を行う。被写体のコントラストが低くてビデオＡＦが不能という場合には、ステップＳ２０６からステップＳ２１２へ移行してピント調節を完了する。
【００４２】
ビデオＡＦによるピントの微調が可能であった場合は、ステップＳ２０７へ移行し、外測ＡＦの『距離環』を補正し、『距離環補正』を有効とする。同時にステップＳ２０８でその時の温度に関する情報を記憶しておく。この温度情報は、図７の温度センサ１８の出力に基づいて検出する。
【００４３】
つぎの撮影で再びピント調節が要求されると、まずステップＳ２０３で外測ＡＦによるピント調節が行われる（外測ＡＦによる測距が可能な場合）。いま『距離環補正』が有効であるから、ステップＳ２０４からステップＳ２１０に移行し、現在の温度情報を検知し、それとステップＳ２０８で記憶しておいた温度情報を比較する。この変化が所定の値よりも小さい場合は、ビデオＡＦによる距離環補正を行った時点からの温度変化に起因するピント変動は少ないものとみなし、そのままステップＳ２１２へ移行してピント調節動作を終了する。
【００４４】
温度変化が大きい場合は、それに起因するピント変動が無視できないものとして、ステップＳ２１１で『距離環補正』を無効とし、ステップＳ２０５以降のビデオＡＦによるピントの微調を試みる。
【００４５】
以上説明した第２の実施形態では温度変化が少なく、それに起因するピント変動が無視できる場合には改めてビデオＡＦを実行することなく、その分高速なピント調節が可能となる、
【００４６】
（第３の実施形態）
図６は、本発明の第３の実施形態における動作を説明するフローチャートである。この実施例では、距離環補正実行後からの経過時間を実測し、あまり時間経過がない場合はその補正を有効にするというものである。なお、ここでは第２の実施形態に対して、特徴的なステップを説明する。
【００４７】
ステップＳ３０８では『距離環補正』を実行したときの時刻を記憶する。時刻の計測には専用のタイマを設けてもよいが、機能的には相対時刻が判れば充分であるので、カメラ制御用ＭＣＵに内蔵される簡便なタイマ機能を利用してもよい。
【００４８】
そして外測ＡＦによるピント調節後、ステップＳ３１０で現在時刻とステップＳ３０８で記憶した時刻を比較し、経過時間が所定の時間よりも短い場合には（たとえば１０分）ピントの変動はあまりないものとみなし、ステップＳ３１２へ移行してピント調節を終了する。経過時間が大きい場合は、距離環補正が有効でないとし、ステップＳ３０５以降のビデオＡＦによるピントの微調を実行する。
【００４９】
以上の説明では外測ＡＦとして、赤外線を投光するタイプの『アクティブＡＦ』を説明してきたが、いわゆる『パッシプＡＦ』を適用しても同様の効果を得ることができる。
また本発明の構成は，上述の実施例での具体的な記述に限定されるものではなく、カメラの仕様や想定ユーザ層などによって様々な実施例が考えられることは言うまでもない。
【００５０】
ここで、上記様々な実施形態に示した各機能ブロックおよび処理手順は、ハードウェアにより構成してもよいし、ＣＰＵあるいはＭＰＵ、ＲＯＭおよびＲＡＭ等からなるマイクロコンピュータシステムによって構成し、その動作をＲＯＭやＲＡＭに格納された作業プログラムに従って実現するようにしてもよい。また、上記各機能ブロックの機能を実現するように当該機能を実現するためのソフトウェアのプログラムをＲＡＭに供給し、そのプログラムに従って上記各機能ブロックを動作させることによって実施したものも、本発明の範疇に含まれる。
【００５１】
この場合、上記ソフトウェアのプログラム自体が上述した各実施形態の機能を実現することになり、そのプログラム自体およびそのプログラムをコンピュータに供給するための手段、たとえばかかるプログラムを格納した記録媒体は本発明を構成する。かかるプログラムを記憶する記憶媒体としては、ＲＯＭやＲＡＭの他にたとえばフレキシブルディスク、ハードディスク、光ディスク、光磁気ディスク、ＣＤ−ＲＯＭ、ＣＤ−Ｉ、ＣＤ−Ｒ、ＣＤ−ＲＷ、ＤＶＤ、ｚｉｐ、磁気テープ、あるいは不揮発性のメモリカード等を用いることができる。
【００５２】
また、コンピュータが供給されたプログラムを実行することにより、上述の実施形態の機能が実現されるだけでなく、そのプログラムがコンピュータにおいて稼働しているＯＳ（オペレーティングシステム）あるいは他のアプリケーションソフト等の共同して上述の実施形態の機能が実現される場合にもかかるプログラムは本発明の実施形態に含まれることは言うまでもない。
【００５３】
さらに、供給されたプログラムがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５４】
【発明の効果】
以上説明したように本発明によれば、まず外測ＡＦで焦点調節を行い、さらにビデオＡＦで最終的なピント調整をする際にビデオＡＦでの検出結果を外測ＡＦのレンズ調整機構にフィードバックさせる。そのフィードバック結果が有効な期間あるいは条件下では外測ＡＦのみで焦点調節を済ませることで、従来の銀塩カメラと同様な応答性で精度の高いＡＦを実現することが可能となる。
【図面の簡単な説明】
【図１】本発明のデジタルスチルカメラの電気ブロック図である。
【図２】本発明の第1の実施形態における動作を説明するフローチャートである。
【図３】本発明の焦点調節方式を説明する図である。
【図４】本発明の焦点調節方式を説明する図である。
【図５】本発明の第２の実施形態における動作を説明するフローチャートである。
【図６】本発明の第３の実施形態における動作を説明するフローチャートである。
【図７】デジタルスチルカメラの正面図である。
【図８】アクティブＡＦの原理を説明するための図である。
【図９】ビデオＡＦの原理を説明するための図である。
【図１０】ビデオＡＦの原理を説明するための図である。
【図１１】ビデオＡＦの原理を説明するための図である。
【符号の説明】
１    デジタルスチルカメラ本体
２    撮影レンズ
３    レリーズ釦
４    ファインダ
５    赤外光投光窓
６    赤外光受光窓
７    メインスイッチ
１１    赤外ＬＥＤ
１２    投光レンズ
１３    ＰＳＤ
１４    受光レンズ
１８    温度検出用センサ
２１    撮像センサ
３１    カメラ制御用ＭＣＵ
３３    ＩＲＥＤ駆動回路
３４    撮影レンズ駆動用モータ
３５    モータ駆動回路
３６    レンズ位置検出部材
１２０    ＭＣＵ間通信線
３０１    撮像センサ
３０２    Ａ／Ｄ変換器
３０３    像信号処理ＩＣ
３０４    デジタルＭＣＵ
３０６    フラッシュメモリ
３０８    ＤＲＡＭ
３１１    データバス
【図１】
0004898042.tif 000002
【図２】
0004898042.tif 000003
【図３】
0004898042.tif 000004
【図４】
0004898042.tif 000005
【図５】
0004898042.tif 000006
【図６】
0004898042.tif 000007
【図７】
0004898042.tif 000008
【図８】
0004898042.tif 000009
【図９】
0004898042.tif 000010
【図１０】
0004898042.tif 000011
【図１１】
0004898042.tif 000012